(57)【要約】【課題】機体の許容範囲の傾斜状態に対して、自動式給水機構の作動不良を防ぐとともに、加湿室の急激な水位変化を阻止すること。【解決手段】  加湿装置付き電気ストーブにおいて、前記貯水室１に、水タンク１０の下方に位置する受水溝４を有しタンクキャップの収納空間の周囲を包囲する隔壁１２を設けて、前記貯水室１を二分し、水タンク頭部の下方に位置して受水溝４を有する第１貯水室１Ａと、加湿室２寄りに位置する第２貯水室１Ｂとを形成する。【選択図】図２
2012047435.tif 000002
【特許請求の範囲】
【請求項１】
機体底部に加湿装置Ａが装備され、該加湿装置Ａには、本体内部に装備した電気式加熱装置よりの温風が供給されるとともに、加湿フィルター３が内装されている加湿室２と、前記水タンク１０より給水されるところの、貯水室１とが形成されている、加湿装置付き電気ストーブにおいて、
前記貯水室１に、水タンク１０の下方に位置する受水溝４を有しタンクキャップの収納空間１１の周囲を包囲する隔壁１２を設けて、前記貯水室１を二分し、
水タンク頭部の下方に位置して受水溝４を有する第１貯水室１Ａと、加湿室２寄りに位置する第２貯水室１Ｂとを形成した
ことを特徴とする加湿装置付き電気ストーブ。
【請求項２】
前記貯水室１の第１貯水室１Ａに、タンク頭部空間に位置して、受水溝４を形成し、周辺部寄りに位置して、第１水路溝５を形成し、
前記貯水室１の第２貯水室１Ｂに、第２水路溝６を形成し、
貯水室１の第１貯水室１Ａと加湿室２とを、第１貯水室１Ａの第１水路溝５および第２貯水室１Ｂの第２水路溝６を介して連通した
ことを特徴とする請求項１に記載する加湿装置付き電気ストーブ
【発明の詳細な説明】
【発明の詳細な説明】
【技術分野】
【０００１】  本願発明は、電気ストーブにおける加湿装置に関するものである。より詳しくは、本体前面を開口し、発熱体およびガード部材を内装して、本体前面の開口前方を暖房エリヤとするとともに、本体底部に加湿装置を装備した電気ストーブに関するものである。
【背景技術】
【０００２】この種の電気ストーブの加湿装置として、本願出願人の出願である特開２００９−２７６０１２号（特許文献１）「加湿器付き電気ストーブ」が存在する。
上記の加湿器付き電気ストーブにおいて，機体底部に、水タンク１０の下方に位置して、加湿水受け室（貯水室）１’および加水室（加湿室）２’が形成された加湿装置が装備されている。加水室（加湿室）２’の底部には、加湿水受け室（貯水室）１’の上方の水タンク１０より給水されて、常時加湿用の水が満たされている。
【先行技術文献】
【０００３】
【特許文献１】特開２００９−２７６０１２号「加湿器付き電気ストーブ」
【発明の開示】
【発明が解決しようとする課題】
【０００４】  前記の公知技術において、機体ガ傾斜した場合に、加湿装置の加水室（加湿室）および加湿水受け室（貯水室）の水面が、機体の一部寄りに偏位することで、加水室への給水異常を生じる問題点がある。すなわち、加水室（加湿室）側へ傾斜した場合には、加水室（加湿室）への給水が供給過剰となり、加湿水受け室（貯水室）の水タンク下方の水位が低下して、水タンクの吐出口に空隙が発生して、水タン内へ空気が浸入して、異常給水状態となり、加湿ケースの端縁より漏水を生じて床面を汚染するおそれがある。【０００５】  よって、本発明は、機体が許容範囲で傾斜状態においても、加水室の水位を許容範囲に維持すべく給水することを課題とする。
【課題を解決するための手段】
【０００６】  本願発明は、加湿装置付き電気ストーブにおいて、前記貯水室１に、水タンク１０の下方に位置する受水溝４を有しタンクキャップの収納空間の周囲を包囲する隔壁１２を設けて、前記貯水室１を二分し、水タンク頭部の下方に位置して受水溝４を有する第１貯水室１Ａと、加湿室２寄りに位置する第２貯水室１Ｂとを形成したことを特徴とする。【０００７】  請求項２の発明は、請求項１の発明において、第１貯水室１Ａに、タンク頭部空間に位置して、受水溝４と連通する第１水路溝５を周辺部寄りに位置して形成し、第２貯水室１Ｂに、第２水路溝６を形成し、貯水室１の第２貯水室１Ａと加湿室２とを、第１水路溝５および第２水路溝６を介して連通したことを特徴とする。
【発明の効果】
【０００８】  本願発明は、機体の許容範囲の傾斜状態に対して、貯水室の第２貯水室の受水溝の水位を維持とすることにより、自動式給水機構の作動不良を防ぐとともに、加湿室の急激な水位変化を阻止することで、漏水を防ぐとともに加湿装置を正常に運転することができる効果を有する。
【図面の簡単な説明】
【０００９】
【図１】本願発明の実施例を示す、加湿装置の平面図。
【図２】同じく平面視長手方向の横断面図。
【図３】同じく縦断面図。
【図４】同じく部分拡大縦断面図。
【図５】図２のＡ−Ａ線による縦断面図。
【図６】図２のＢ−Ｂ線による縦断面図。
【図７】図２のＣ−Ｃ線による縦断面図。
【図８】本願発明の前記加湿装置に、電気ストーブ本体の水タンクおよび加湿温風吹出しケースを付加して示す、斜視図。
【図９】本願発明の作用状態を示す図３同様の縦断面図。
【図１０】先願発明の加湿装置付き電気ストーブを示す、縦断面図。
【図１１】同じく部分拡大縦断面図。
【図１２】同じく加湿温風発生機構の分解斜視図。
【図１３】同じく加湿温風の発生状態を説明する、図９同様の縦断面図。
【発明を実施するための最良の形態】
【００１０】  本発明の実施例の説明に先立って、図１０ないし図１３を参照して、先願発明の電気ストーブを説明する。【００１１】  Ｂは、発熱体（パネルヒータ）２１を内装した電気ストーブで、機体前面を開口してガード部材２２を内装して、本体前面の開口前方を暖房エリヤとする。発熱体２１と機体背面板２３との間に遮熱板２４を設ける。【００１２】  機体背面板２２と遮熱板２４とにより、集熱ダクト２５を形成して、集熱ダクト２５の内部空間を、加熱室Ｈの背面側に隣接する第２加熱室Ｈ２を形成する。【００１３】  集熱ダクト２５の頂面開口により、第２加熱室Ｈ２は加熱室Ｈと連通している。【００１４】  集熱ダクト２５の上方および加熱室Ｈの上方には機体頂面板２６を位置させるが、遮熱誘導板２７を、機体頂面板２６の下方、加熱室Ｈ内に設けて、機体天面の過熱を防止するとともに、加熱室Ｈ内より第２加熱室Ｈ２内へ温風Ｋ１を誘導する。【００１５】  集熱ダクト２５の下部に底面開口２５ｂを形成し、電動ファン２９を介して、第２加熱室Ｈ２を加湿装置Ａ’に連通させる。【００１６】  電動ファン２９および水タンク１０の上方を覆う背面カバー２８を機体頂面板２６に延設する。【００１７】  加湿装置Ａ’は、加湿フィルター（保水部材）３’を内装した加水室（加湿室）２’を有する加湿ケース１４で構成する。【００１８】  加湿ケース１４には、加水室（加湿室）２’の片面（入力側）に温風受け室１５を、他面（出口側）に加湿温風出口室１６をそれぞれ連設している。【００１９】  また、加湿ケース１４の一部（温風受け側）に、水タンク１０の下方に位置して、加湿水受け室（貯水室）１’が形成されている。【００２０】  加湿水受け室（貯水室）１’および加水室（加湿室）２’には、加湿ケースの底面に保水シート１７が内装され、水タンク１０より給水されて、加水室（加湿室）２’の底面には、常時加湿用の水が満たされている。よって、保水シート１７に底面が接触している加湿フィルター（保水部材）３’には、常時、加湿用の水が供給されている。【００２１】  水タンクを、逆直立壜状（ペットポトル状）の筒体で構成し、加湿ケースの底面に内装した保水シートに筒体の頭部先端開口を接当させ、保水シートを介して加水室の保水部材に毛細管現象により水タンクの加湿水を供給する自動式給水タンクを構成している。【００２２】  加湿ケース１１の加湿温風出口室１６の上面に加湿温風吹出しケース１８を戴置して、加湿温風吹出しケース１８の加湿温風室Ｈ３を加湿温風出口室１６に連通させる。【００２３】  加湿温風吹出しケース１８は、機体底部に位置して装着され、その加湿温風吹出し口１９は、機体前面底部に位置している。【００２４】  電気ストーブＢの運転にあたり、第２加熱室Ｈ２は遮熱板２４を介して発熱体（ヒーター）２１により加熱される。【００２５】  図１２を参照して、電動ファン２９により吸引されて第２加熱室Ｈ２を降下する空気は加熱されつつ降下して、加熱空気Ｋ１が、加湿装置Ａ‘の加湿ケースの加水室（加湿室）２’を通過して、加水室（加湿室）２’の加湿フィルター（保水部材）３’に加熱空気Ｋ１が供給される。【００２６】  加水室（加湿室）２’の加湿フィルター（保水部材）３には、��タンク１０より、常時、加湿用の水が毛細管現象で供給されている。【００２７】  加湿フィルター（保水部材）３’を通過した加熱空気Ｋ１は、加湿温風Ｋ２となって加湿温風吹出しケース１８の加湿温風室Ｈ３に供給される結果、加湿温風吹出しケース１８の加湿温風室Ｈ３より、加湿温風Ｋ２を室内へ吹き出すことで、暖房室内の床面近傍に向け、加湿温風を供給する。【００２８】  以下、図１ないし図７を参照して、本願発明を説明する。【００２９】  本願発明は、先願発明では、水タンク１０を、機体背面部に装備しているが、本願発明は機体側部に装備して、加湿フィルター３が内装されている加湿室２を機体一側寄り（左側）に、水タンクより給水されるところの貯水室１を機体他側寄り（右側）に配置するとともに、前述の先願発明の機体底部の加湿装置Ａの構造を下記のとおりに変更する。【００３０】  貯水室１に、水タンク１０の下方して、タンクキャップの収納空間の周囲を包囲する隔壁１２を設けることで、貯水室１を二分して、第１貯水室１Ａと、加湿室２寄りに位置する第２貯水室１Ｂとを形成する。【００３１】  第１貯水室１Ａのタンク頭部収容空間には、水タンク１０の蓋キャップ１０Ａを収容自在とするが、その中心部に、蓋キャップ１０Ａの弁機構１０Ｂと接当するための突起９を形成するとともに、前記突起９を包囲する受水溝（環状溝）４を形成する。【００３２】  前記貯水室１の第１貯水室１Ａに、タンク頭部容空間に位置して、前記受水溝４を形成するとともに、周辺部寄りに位置して、第１水路溝５を形成し、受水溝４と第１水路溝５とを、連通水路７を介して連通する。【００３３】  第２貯水室１Ｂに、第２水路溝６を形成する。第２水路溝６の一端は、窓Ｑを介して第１水路溝５と連通し、他端は、窓Ｐを介して加湿室２に連通する。【００３４】  よって、第１貯水室の受水溝４と加湿室２とは、連通水路７、第１水路溝５および第２水路溝６を介して連通する。【００３５】  実施例においては、貯水検知室１１を設ける。
該貯水検知室１１は、前後方向に機体前面側に位置して、加湿室２と隣接し、貯水室１側に位置している。【００３６】  貯水検知室１１は、第１水路溝５の延長水路５ａに連通して、第１貯水室１Ａの受水溝４と連通し、フロート１１ａを装備して、受水溝４の水位を検知する。【００３７】  前記隔壁１２と、加湿用水検知室１１の周壁の一部（隔壁１２の延長部）１２Ａと、加湿ケース１４の周壁の一部１４ａにより、タンク頭部収容空間を包囲する。【００３８】  加湿ケース１４の後方に後面板２０を一体形成し、後面板２０引出しにより、加湿装置Ａを電気ストーブ本体より、取出し自在とする。【００３９】  加湿装置Ａは、加湿室２に挿入自在とする加湿ユニットＣを有し、加湿ユニットＣには、加湿フィルター３、送風受け室１５および温風出口室１６とを有する。【００４０】  図８を参照して、機体本体の右側に装備した水タンク１０より貯水室１に給水されて、第１貯水室１Ａには設定水位レベルの給水が維持されている。
加湿ユニットＣの加湿フィルター３には、貯水室１より窓Ｐを通して給水され、常時。必要な水分が供給されている。【００４１】  送風受け室１５には、機体本体の電動ファン（図示省略）より加熱空気Ｋ１が供給され、該加熱空気Ｋ１は、送風受け室１５より加湿フィルター３を通過したのち、水分が付加されて、加湿温風Ｋ２となって、温風出口室１６より、加湿温風吹出しケース１８より、流出する。【００４２】  よって、加湿フィルター３を通過した加熱空気Ｋ１は、加湿温風Ｋ２となって加湿温風吹出しケース１８に供給される結果、加湿温風Ｋ２を室内へ吹き出すことで、暖房室内の床面近傍に向け、加湿温風を供給する。【００４３】  本願発明においては、機体が加湿室側へ傾斜した状態でも、第１貯水室の環状溝の水位は、一定範囲に維持されている。【００４４】  機体が加湿室側へ傾斜した状態［機体右側（水タンク１１側）が高い状態］を示す図９を参照して、第１貯水室の環状溝の水位Ｌ４（および貯水検知室１１の水位Ｌ１１、第１貯水室１Ａの水位Ｌ１Ａ）は、加湿室２の水位Ｌ２（および第２貯水室１Ｂの水位Ｌ１Ｂ）に対して、高いレベルに維持されている。【００４５】  従って、蓋キャップ１０Ａの弁機構の近傍に空隙が発生することはなく、過剰給水を生じない。よって、加湿ケースよりの漏水を防止できる。
【産業上の利用可能性】
【００４６】  本願発明は、加湿装置付き電気ストーブの使用を促進して、電気ストーブ製造関連産業、産業機械製造業等の産業発展に寄与するものである。
【符号の説明】
【００４７】  Ａ      加湿装置
１      貯水室
１Ａ    第１貯水室
１Ｂ    第２貯水室
２      加湿室
３      加湿フィルター
４      受水溝（環状溝）
５      第１水路溝
６      第２水路溝
７      連通水路
１０    水タンク
１２    隔壁
【図１】
2012047435.tif 000003
【図２】
2012047435.tif 000004
【図３】
2012047435.tif 000005
【図４】
2012047435.tif 000006
【図５】
2012047435.tif 000007
【図６】
2012047435.tif 000008
【図８】
2012047435.tif 000009
【図７】
2012047435.tif 000010
【図９】
2012047435.tif 000011
【図１０】
2012047435.tif 000012
【図１１】
2012047435.tif 000013
【図１２】
2012047435.tif 000014
【図１３】
2012047435.tif 000015